(57)【要約】【課題】無線ＬＡＮシステムにアクセスポイント等のフェイルセーフ機構を設けるにあたって、アクセスポイントを二重化構成にした場合でも、正常時にシステム全体のスループットが低下するのを回避でき、また、緊急時にも正常時と同等な通信を確保することが可能な無線通信システム等を提供する。【解決手段】緊急用アクセスポイントは、異常検出手段からの異常信号を受信するまでは受信のみを行い、異常信号を受信した後はアクセスポイントとして動作する。緊急用アクセスポイントは通常用アクセスポイントのごく近傍に配置するか、若しくはアンテナを共有する。【選択図】　　　図１
2004015287.tif 000002
【特許請求の範囲】
【請求項１】
外部のアクセスポイントに接続されるクライアント端末からの異常信号を受信するまではアクセスポイントとしての動作を行わず、異常信号を受信した後はアクセスポイントとして動作することを特徴とする緊急用アクセスポイント。
【請求項２】
有線通信ネットワークに接続された第一のアクセスポイントと、該第一のアクセスポイントに無線接続される複数のクライアント端末と、前記第一のアクセスポイント又は前記有線通信ネットワークの異常時に動作する緊急用の第二のアクセスポイントとを備えた無線通信システムであって、
前記第一のアクセスポイント又は前記有線通信ネットワークの異常を検出して異常検出信号を出力する異常検出手段を有し、
前記緊急用の第二のアクセスポイントは、前記異常検出手段からの異常検出信号を受信するまではアクセスポイントとしての動作を行わず、異常検出信号を受信した後にアクセスポイントとして動作することを特徴とする無線通信システム。
【請求項３】
前記第一のアクセスポイントと前記第二のアクセスポイントは、前記クライアント端末と同等に無線通信可能な距離に配置されていることを特徴とする請求項２記載の無線通信システム。
【請求項４】
前記第一のアクセスポイントと前記第二のアクセスポイントは同一のアンテナを共有し、
切り替え信号に応じて、前記アンテナを前記第一のアクセスポイント側又は前記第二のアクセスポイント側に切り替え接続する切り替え手段と、
前記異常検出手段の検出結果に応じて前記切り替え信号を出力する手段とを備えたことを特徴とする請求項２又は３記載の無線通信システム。
【請求項５】
前記第一のアクセスポイント及び前記第二のアクセスポイントは、それぞれ独立してブリッジ又はルータに有線接続されたことを特徴とする請求項２乃至４記載の無線通信システム。
【請求項６】
外部のアクセスポイントに接続されるクライアント端末からの異常信号を受信するまではアクセスポイントとしての動作を行わず、異常信号を受信した後はアクセスポイントとして動作することを特徴とする緊急用アクセスポイントの制御方法。
【請求項７】
有線通信ネットワークに接続された第一のアクセスポイントと、該第一のアクセスポイントに無線接続される複数のクライアント端末と、前記第一のアクセスポイント又は前記有線通信ネットワークの異常時に動作する緊急用の第二のアクセスポイントとを備えた無線通信システムの障害救済方法であって、
前記第一のアクセスポイント又は前記有線通信ネットワークの異常を検出して異常検出信号を出力する異常検出手段を設けておき、
前記緊急用の第二のアクセスポイントは、前記異常検出手段からの異常検出信号を受信するまではアクセスポイントとしての動作を行わず、異常検出信号を受信した後にアクセスポイントとして動作することを特徴とする無線通信システムの障害救済方法。
【請求項８】
前記第一のアクセスポイントと前記第二のアクセスポイントは、前記クライアント端末と同等に無線通信可能な距離に配置されていることを特徴とする請求項７記載の無線通信システムの障害救済方法。
【請求項９】
前記第一のアクセスポイントと前記第二のアクセスポイントは同一のアンテナを共有し、前記異常検出手段の検出結果に応じて、前記アンテナを前記第一のアクセスポイント側又は前記第二のアクセスポイント側に切り替え接続することを特徴とする請求項７又は８記載の無線通信システムの障害救済方法。
【請求項１０】
前記第一のアクセスポイント及び前記第二のアクセスポイントは、それぞれ独立してブリッジ又はルータに有線接続されたことを特徴とする請求項７乃至９記載の無線通信システムの障害救済方法。
【請求項１１】
第一のアクセスポイント故障時、又は前記第一のアクセスポイントが接続されている有線通信ネットワークの異常時に動作する緊急用の第二のアクセスポイントの制御方法を実行するための制御プログラムであって、
前記第一のアクセスポイントに接続されるクライアント端末からの異常信号を受信するまではアクセスポイントとしての動作を行わず、異常信号を受信した後はアクセスポイントとして動作する内容を有することを特徴とする制御プログラム。
【発明の詳細な説明】
【０００１】
【発明の属する技術分野】
本発明は、アクセスポイントとそれに無線接続されるクライアント端末を有する無線通信システムに関し、特に障害救済機能を備えた無線通信システムに関する。
【０００２】
【従来の技術】
近年、有線ＬＡＮと接続されたアクセスポイントと呼ばれるブリッジ装置と多数の無線端末との間でネットワークを構成する無線ＬＡＮシステム（ｗｉｒｅｌｅｓｓ　Ｌｏｃａｌ−Ａｒｅａ−Ｎｅｔｗｏｒｋ　ｓｙｓｔｅｍ）が提案されている。
【０００３】
図６は、従来の無線ＬＡＮシステムのブロック構成図である。
同図に示す無線ＬＡＮシステムは、有線ＬＡＮとのブリッジとなるアクセスポイント１００と、アクセスポイント１００と通信する無線端末であるクライアント端末２０１〜２０４と、有線ＬＡＮを構成するＬＡＮケーブルＬとから構成されている。
【０００４】
アクセスポイント１００は一定周期でビーコン（ｂｉｃｏｎ）情報ｂａを送出している。クライアント端末２０１は、電源投入時又はローミング時に、アクセスポイント１００からビーコン情報ｂａを受信すると、マネジメントフレームを送信してアクセスポイント１００に対してネゴシエーション処理を開始した後、アクセスポイント１００との通信を開始する。
【０００５】
次に、アクセスポイントの故障時におけるフェイルセーフ機構をもった構成について、図７のブロック構成図で説明する。
【０００６】
図７に示す無線ＬＡＮシステムは、図６に示した無線ＬＡＮシステムにおいてアクセスポイント１０１が追加された構成となっている。同図に示すように、アクセスポイント１００，１０１は通信可能な領域が重なっているので、別のチャネル（周波数帯）を用いて一定周期でビーコン情報ｂａ、ｂｂをそれぞれ送出している。
【０００７】
クライアント端末２０１は、電源投入時又はローミング時に、アクセスポイント１００からビーコン情報ｂａを受信すると、マネジメントフレームを送信してアクセスポイント１００に対してネゴシエーション処理を開始した後、アクセスポイント１００との通信を開始する。クライアント端末２０２も同様の手順により、アクセスポイント１０１に対してネゴシエーション処理を開始した後、アクセスポイント１０１との通信を開始する。
【０００８】
ここで、アクセスポイント１００が何らかの原因により故障するか、若しくはアクセスポイント１００が接続されているＬＡＮケーブルＬの先で有線ＬＡＮが通信不能になった場合、クライアント端末２０１はアクセスポイント１００との直接の通信、又はアクセスポイント１００と有線ＬＡＮを介した通信を継続できなくなるので、クライアント端末２０１は他のアクセスポイント１０１の検索処理を開始する。
【０００９】
ここで、アクセスポイント１０１は、アクセスポイント１００と通信可能な範囲が重なっているのでクライアント端末２０１とも容易に通信でき、クライアント端末２０１は直ちにアクセスポイント１０１とリンクを確立して通信を続行できる。
【００１０】
【発明が解決しようとする課題】
しかしながら、上記従来の無線ＬＡＮシステムにおけるフェイルセーフ機構には以下の問題があった。
（１）上記構成において、アクセスポイント１００とアクセスポイント１０１との距離や使用している周波数帯の違いから、アクセスポイント１００が通信可能な範囲とアクセスポイント１０１が通信可能な範囲とが異なり、アクセスポイント１００の故障時にアクセスポイント１０１が十分な代行処理を行えないクライアントが生ずるという問題があった。
（２）アクセスポイント１００，１０１を二重化構成にすると、アクセスポイント１００，１０１からビーコンや他の通信が頻繁に送信されるようになり、広い周波数帯域で電波の干渉が増加して、ＬＡＮシステム全体のスループットが低下する問題があった。
【００１１】
本発明は上記従来の問題点に鑑み、無線ＬＡＮシステムにアクセスポイント等のフェイルセーフ機構を設けるにあたって、アクセスポイントを二重化構成にした場合でも、正常時にシステム全体のスループットが低下するのを回避でき、また、緊急時にも正常時と同等な通信を確保することが可能な無線通信システム等を提供することを目的とする。
【００１２】
【課題を解決するための手段】
上記目的を達成するために、本発明の緊急用アクセスポイントでは、外部のアクセスポイントに接続されるクライアント端末からの異常信号を受信するまではアクセスポイントとしての動作を行わず、異常信号を受信した後はアクセスポイントとして動作することを特徴とする。
【００１３】
本発明の無線通信システムでは、有線通信ネットワークに接続された第一のアクセスポイントと、該第一のアクセスポイントに無線接続される複数のクライアント端末と、前記第一のアクセスポイント又は前記有線通信ネットワークの異常時に動作する緊急用の第二のアクセスポイントとを備えた無線通信システムであって、前記第一のアクセスポイント又は前記有線通信ネットワークの異常を検出して異常検出信号を出力する異常検出手段を有し、前記緊急用の第二のアクセスポイントは、前記異常検出手段からの異常検出信号を受信するまではアクセスポイントとしての動作を行わず、異常検出信号を受信した後にアクセスポイントとして動作することを特徴とする。
【００１４】
本発明の緊急用アクセスポイントの制御方法では、外部のアクセスポイントに接続されるクライアント端末からの異常信号を受信するまではアクセスポイントとしての動作を行わず、異常信号を受信した後はアクセスポイントとして動作することを特徴とする。
【００１５】
本発明の無線通信システムの障害救済方法では、有線通信ネットワークに接続された第一のアクセスポイントと、該第一のアクセスポイントに無線接続される複数のクライアント端末と、前記第一のアクセスポイント又は前記有線通信ネットワークの異常時に動作する緊急用の第二のアクセスポイントとを備えた無線通信システムの障害救済方法であって、前記第一のアクセスポイント又は前記有線通信ネットワークの異常を検出して異常検出信号を出力する異常検出手段を設けておき、前記緊急用の第二のアクセスポイントは、前記異常検出手段からの異常検出信号を受信するまではアクセスポイントとしての動作を行わず、異常検出信号を受信した後にアクセスポイントとして動作することを特徴とする。
【００１６】
本発明の制御プログラムでは、第一のアクセスポイント故障時、又は前記第一のアクセスポイントが接続されている有線通信ネットワークの異常時に動作する緊急用の第二のアクセスポイントの制御方法を実行するための制御プログラムであって、前記第一のアクセスポイントに接続されるクライアント端末からの異常信号を受信するまではアクセスポイントとしての動作を行わず、異常信号を受信した後はアクセスポイントとして動作する内容を有することを特徴とする。
【００１７】
【発明の実施の形態】
以下、本発明の実施の形態を図面に基づいて説明する。
【００１８】
［第一実施形態］
＜無線通信システムの構成＞
図１は、本発明の第一実施形態に係る無線通信システム（無線ＬＡＮシステム）の構成を示す概念図である。
【００１９】
同図において、Ｐａは有線ＬＡＮとのブリッジとなるアクセスポイント、１１〜１４はアクセスポイントＰａと無線通信するクライアント端末である。また、Ｌ１はアクセスポイントＰａと接続される有線ＬＡＮを構成するＬＡＮケーブルであり、Ｒ１はアクセスポイントＰａがＬＡＮケーブルＬ１を介して接続されているルータである。
【００２０】
１０ａはアクセスポイントＰａが接続されている有線ＬＡＮの異常を検出して異常検出信号を送信する異常検出装置であり、１１ａ〜１４ａはアクセスポイントＰａの異常をクライアント端末１１〜１４で検出して異常検出信号を送信する異常検出装置である。Ｐｂは緊急用アクセスポイントであって、異常検出装置１０ａ又は異常検出装置１１ａ〜１４ａから出力される異常検出信号を受信するまで受信のみを行い、異常検出信号を受信した後はアクセスポイントとして動作する機能を有する。
【００２１】
Ｌ２は緊急用アクセスポイントＰｂと接続される有線ＬＡＮを構成するＬＡＮケーブルであり、Ｒ２は緊急用アクセスポイントＰｂがＬＡＮケーブルＬ２を介して接続されているルータである。
【００２２】
緊急用アクセスポイントＰｂは通常用アクセスポイントＰａのごく近傍にあり、アクセスポイントＰａと無線接続されていたクライアント端末すべてが緊急用アクセスポイントＰｂと同等に無線接続できる位置に配置される。ここで、３１は、アクセスポイントＰａが無線通信できる範囲であり、３２は緊急用アクセスポイントＰｂが無線通信できる範囲である。
【００２３】
＜通常用アクセスポイントの故障時の障害救済手順＞
図２（ａ），（ｂ），（ｃ）は、通常用アクセスポイントＰａの障害救済の手順を示すフローチャートであり、同図（ａ）はクライアント端末側の手順、同図（ｂ）は緊急用アクセスポイント側の手順、同図（ｃ）は通常用アクセスポイント側の手順である。
【００２４】
まず例えばクライアント端末１１側の手順（図２（ａ））を説明すると、クライアント端末１１は、電源投入時又はローミング時に（ステップＳ１０）アクセスポイントＰａからビーコン情報ｂａを受信すると（ステップＳ１１）、マネジメントフレームを送信してアクセスポイントＰａに対してネゴシエーション処理を開始した後（ステップＳ１２）、アクセスポイントＰａとの通信を開始する。
【００２５】
ここで、クライアント端末１１が通信媒体が開放されているにもかかわらず（ステップＳ１３）、一定期間以上ビーコン情報ｂａを傍受できない場合（ステップＳ１４）、異常検出装置１１ａはクライアント端末１１を介してテストフレームをアクセスポイントＰａに送信する（ステップＳ１５）。これに対し、アクセスポイントＰａから応答信号が返信されない場合（ステップＳ１６）、異常検出装置１１ａはクライアント端末１１を介して緊急用アクセスポイントＰｂに異常検出信号を送る（ステップＳ１７）。
【００２６】
その後、緊急用アクセスポイントＰｂからビーコン情報ｂｂを受信すると（ステップＳ１８）、緊急用アクセスポイントＰｂに対してネゴシエーション処理を開始した後（ステップＳ１９）、緊急用アクセスポイントＰｂとの通信を開始する。
【００２７】
次に、緊急用アクセスポイントＰｂ側の手順（図２（ｂ））を説明すると、緊急用アクセスポイントＰｂでは、受信のみを行う状態時に（ステップＳ２０）、クライアント端末１１側からの異常検出信号を受信した後（ステップＳ２１）、アクセスポイントＰａと通信できないことを確認して（ステップＳ２２，ステップＳ２３）、アクセスポイントとして動作し始める（ステップＳ２４）。
【００２８】
また、アクセスポイントＰａ側の手順（図２（ｃ））を説明すると、アクセスポイントとして動作している状態で（ステップＳ３０）、アクセスポイントＰａが緊急用アクセスポイントＰｂのビーコン情報ｂｂを受信したら（ステップＳ３１）、直ちに受信のみを行うモードになる（ステップＳ３２）。
【００２９】
＜有線ＬＡＮの不通時の障害救済手順＞
図３（ａ），（ｂ），（ｃ）は、通常用アクセスポイントＰａが接続されている有線ＬＡＮの障害救済の手順を示すフローチャートであり、同図（ａ）はクライアント端末側の手順、同図（ｂ）は緊急用アクセスポイント側の手順、同図（ｃ）は通常用アクセスポイント側の手順である。
【００３０】
まず例えばクライアント端末１１側の手順（図３（ａ））を説明すると、クライアント端末１１は、電源投入時又はローミング時に（ステップＳ４０）、アクセスポイントＰａからビーコン情報ｂａを受信すると（ステップＳ４１）、マネジメントフレームを送信してアクセスポイントＰａに対してネゴシエーション処理を開始した後（ステップＳ４２）、アクセスポイントＰａとの通信を開始する。
【００３１】
ここで、異常検出装置１０ａは、アクセスポイントＰａが接続されている有線ＬＡＮと不通になっていることを確認すると、各クライアント端末１１〜１４と緊急用アクセスポイントＰｂに対しブロードキャストで異常検出信号を送る（後述の図３（ｃ）のステップＳ６１，Ｓ６２参照）。この異常検出信号を受信した各クライアント端末１１〜１４では（ステップＳ４３）、アクセスポイントＰａを介し、有線ＬＡＮを経由して接続された他の端末との通信を止める（ステップＳ４４）。
【００３２】
その後、緊急用アクセスポイントＰｂからビーコン情報ｂｂを受信すると（ステップＳ４５）、緊急用アクセスポイントＰｂに対してネゴシエーション処理を開始した後（ステップＳ４６）、緊急用アクセスポイントＰｂとの通信を開始する。
【００３３】
次に、緊急用アクセスポイントＰｂ側の手順（図３（ｂ））を説明すると、緊急用アクセスポイントＰｂでは、受信のみを行う状態時に（ステップＳ５０）、異常検出装置１０ａからの異常検出信号を受信した後（ステップＳ５１）、有線接続された他の端末にテストフレームを送る（ステップＳ５２）。そして、正常受信（Ａｃｋ）信号が返ってきたら（ステップＳ５３）、アクセスポイントＰａへ向けて受信のみを行うモードに切り替えるための信号を送信し（ステップＳ５４）、その信号に対して正常受信（Ａｃｋ）信号が返ってきたら（ステップＳ５５）、アクセスポイントとして動作し始める（ステップＳ５６）。
【００３４】
ここで緊急用アクセスポイントＰｂは、アクセスポイントＰａとは異なるルータＲ２（若しくはブリッジ）と接続されている。これにより、アクセスポイントＰａが接続されている有線ＬＡＮが何らかの理由で通信不能になったときにも、緊急用アクセスポイントＰｂを介して有線ＬＡＮと通信できる可能性を高めることができる。
【００３５】
また、緊急用アクセスポイントＰｂが有線接続された他の端末にテストフレームを送っても応答が返ってこない場合（ステップＳ５３）、アクセスポイントＰａ，Ｐｂいずれを用いても有線ＬＡＮと接続できないため、アクセスポイントＰａをそのまま用い、緊急用アクセスポイントＰｂは受信のみを行う。
【００３６】
また、アクセスポイントＰａ側の手順（図３（ｃ））を説明すると、アクセスポイントとして動作している状態で（ステップＳ６０）、異常検出装置１０ａが前述したように有線ＬＡＮの異常を検出すると（ステップＳ６１）、各クライアント端末１１〜１４と緊急用アクセスポイントＰｂに対しブロードキャストで異常検出信号を送る（ステップＳ６２）。
【００３７】
そして、緊急用アクセスポイントＰｂから送信された、受信のみを行うモードに切り替えるための信号を受信すると（ステップＳ６３）、その信号に対して正常受信（Ａｃｋ）信号を返信し（ステップＳ６４）、受信のみを行うモードになる（ステップＳ６５）。
【００３８】
本実施形態では、無線ＬＡＮシステムのアクセスポイントのフェイルセーフ機構を設けるにあたって、緊急用アクセスポイントＰｂを通常用アクセスポイントＰａのごく近傍に配置したので、正常時に動作しているアクセスポイントＰａと緊急時に動作するアクセスポイントＰｂの無線通信可能な範囲が殆ど変わらず、緊急時にも正常時と同等な通信が確保される。
【００３９】
また、緊急用アクセスポイントＰｂは、正常時に受信のみを行うので、ビーコン情報が複数のチャネルで送信されることがなく、従来技術の、広い周波数帯域で電波の干渉が増加して無線ＬＡＮシステム全体のスループットが低下する問題を解消することができる。
【００４０】
［第二実施形態］
本実施形態では、正常時に使用されるアクセスポイントＰａと緊急用アクセスポイントＰｂがアンテナを共有する構成について説明する。
【００４１】
＜第二実施形態の要部構成＞
図４は、本発明の第二実施形態に係る無線通信システム（無線ＬＡＮシステム）の要部構成を示すブロック図である。
【００４２】
本実施形態の無線ＬＡＮシステムは、図１に示した構成において、正常時に使用されるアクセスポイントＰａと緊急用アクセスポイントＰｂがアンテナＡｎ１を共有する構成となっている。
【００４３】
すなわち、図中のＳＷ１は、アクセスポイントＰａとＰｂを切り替える切り替えスイッチである。また、Ｓｎは、無線、有線の通信状態を監視する監視装置である。監視装置Ｓｎは、通常用アクセスポイントＰａの無線通信送受信部Ｐａａと接続されていて、アクセスポイントＰａ又は有線ＬＡＮの異常を検出し、その検出結果に応じて、前記切り替えスイッチＳＷ１を切り替えるための制御信号ＳＣを出力する。
【００４４】
＜第二実施形態の動作＞
図５は、第二実施形態の動作を示すフローチャートである。
【００４５】
監視装置Ｓｎは、ＲＳＳＩ（受信検波信号）が低い状態で一定時間以上たってもアクセスポイントＰａがビーコン情報を出さない異常や、有線ＬＡＮ（Ｌ１）から無線クライアント端末へデータが来てもデータ送信しない異常が生じた場合に（ステップＳ７１）、切り替えスイッチＳＷ１を緊急用アクセスポイントＰｂ側に切り替える（ステップＳ７２）。
【００４６】
さらに、監視装置Ｓｎは、アクセスポイントＰａから有線ＬＡＮ（Ｌ１）へ送られたデータがすべて不通になってしまっている場合（ステップＳ７３）、緊急用アクセスポイントＰｂから有線ＬＡＮ（Ｌ２）に接続された他の端末へテストフレームを送信させる（ステップＳ７４）。
【００４７】
テストフレームが正常に交信された場合（ステップＳ７５）、監視装置ＳｎはアクセスポイントＰａが接続されている有線ＬＡＮ（Ｌ１）の異常と判断して（ステップＳ７６）、切り替えスイッチＳＷ１を緊急用アクセスポイントＰｂ側に切り替える（ステップＳ７７）。
【００４８】
他の端末へのテストフレームに対し返信がない場合（ステップＳ７５）、有線ＬＡＮ（Ｌ１），（Ｌ２）全体の問題が生じていると判断して（ステップＳ７７）、切り替えスイッチＳＷ１をアクセスポイントＰａ側のままにしておく（ステップＳ７８）。
【００４９】
本実施形態では、正常時に使用されるアクセスポイントＰａと緊急用アクセスポイントＰｂがアンテナを共有するように構成したので、正常時に動作しているアクセスポイントと緊急時に動作するアクセスポイントの無線通信可能な範囲を同一にすることが可能になり、緊急時にも正常時と同等な通信が確保される。
【００５０】
また、上記第一実施形態と同様に、従来技術の、広い周波数帯域で電波の干渉が増加して無線ＬＡＮシステム全体のスループットが低下するといった問題を解消することができる。
【００５１】
なお、上述した図２（ａ）又は図３（ａ）のフローチャートに従ったプログラムをクライアント端末１１〜１４内の記憶装置に格納し、図２（ｂ）又は図３（ｂ）のフローチャートに従ったプログラムを緊急用アクセスポイントＰｂ内の記憶装置に格納し、図２（ｃ）又は図３（ｃ）のフローチャートに従ったプログラムを通常用アクセスポイントＰａ内の記憶装置に格納し動作することにより、それぞれ上記各実施形態の制御方法を実現させることが可能となる。
【００５２】
前述した実施形態の機能を実現するソフトウェアのプログラムコードを記憶した記憶媒体をシステムあるいは装置に供給し、そのシステムあるいは装置のコンピュータ（又はＣＰＵやＭＰＵ）が記憶媒体に格納されたプログラムコードを読み出し実行することによっても、完成されることは言うまでもない。
【００５３】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部又は全部を行い、その処理によって前述した実施形態の機能が実現される場合も含まれることは言うまでもない。
【００５４】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部又は全部を行い、その処理によって前述した実施形態の機能が実現される場合も含まれることは言うまでもない。
【００５５】
【発明の効果】
以上詳細に説明したように本発明によれば、緊急用アクセスポイントは、クライアント端末からの異常信号を受信するまではアクセスポイントとしての動作を行わないので、正常時に広い周波数帯域で電波の干渉が増加して無線通信システム全体のスループットが低下するといった従来技術の問題を回避することができる。
【００５６】
また、正常時に動作している第一のアクセスポイントと緊急時に動作する第二のアクセスポイントの無線通信可能な範囲を同一又は殆ど変わらないようにすることができ、緊急時にも正常時と同等な通信を確保することが可能になる。
【図面の簡単な説明】
【図１】本発明の第一実施形態に係る無線通信システム（無線ＬＡＮシステム）の構成を示す概念図である。
【図２】アクセスポイントＰａの障害救済の手順を示すフローチャートである。
【図３】通常用アクセスポイントＰａが接続されている有線ＬＡＮの障害救済の手順を示すフローチャートである。
【図４】本発明の第二実施形態に係る無線通信システム（無線ＬＡＮシステム）の要部構成を示すブロック図である。
【図５】第二実施形態の動作を示すフローチャートである。
【図６】従来の無線ＬＡＮシステムのブロック構成図である。
【図７】従来の他の無線ＬＡＮシステムのブロック構成図である。
【符号の説明】
Ｐａ　通常用アクセスポイント
Ｐｂ　緊急用アクセスポイント
１１〜１４　無線通信端末
１０ａ〜１４ａ　異常検出装置
Ｌ１，Ｌ２　ＬＡＮケーブル
Ｒ１，Ｒ２　ルータ
Ａｎ１　アンテナ、
ＳＷ１　切り替えスイッチ、
Ｓｎ　監視装置
【図１】
2004015287.tif 000003
【図２】
2004015287.tif 000004
【図３】
2004015287.tif 000005
【図４】
2004015287.tif 000006
【図５】
2004015287.tif 000007
【図６】
2004015287.tif 000008
【図７】
2004015287.tif 000009